(57)【特許請求の範囲】
【請求項１】
放送送出側でサイトの切替が規定のタイミングで運用されたか否かをデジタル衛星放送受信機において検出するサイトダイバーシティ切替検出方法であって、送信切替信号の出力開始時からスーパーフレームを計数し、該計数において予め定めたスーパーフレームの計数期間中に、フレーム同期パターンが連続して検出されていることを示すフレームステータス信号、キャリア再生が正常に行われていることを示すキャリア再生ステータス信号、またはＴＭＣＣ情報中のエラービットが予め定めた数以下であることことを示すＴＭＣＣステータス信号の少なくとも一つが一時的に途絶えたことを検出したとき、サイトダイバーシティ切替検出信号を送出することを特徴とするサイトダイバーシティ切替検出方法。
【請求項２】
請求項１記載のサイトダイバーシティ切替検出方法において、フレームステータス信号は、フレーム同期パターンが検出される毎にトリガされるリトリガブルワンショットマルチバイブレータの出力信号であることを特徴とするサイトダイバーシティ切替検出方法。
【請求項３】
請求項１記載のサイトダイバーシティ切替検出方法において、キャリア再生ステータス信号は、キャリア再生のための位相誤差電圧が予め定めた所定閾値内であることを示す信号であることを特徴とするサイトダイバーシティ切替検出方法。
【請求項４】
放送送出側でサイトの切替が規定のタイミングで運用されたか否かを検出するデジタル衛星放送受信機であって、送信切替信号の出力開始時からスーパーフレームを計数し、該計数において予め定めたスーパーフレームの計数期間中であることを検出するスーパーフレームの計数期間中検出手段と、フレーム同期パターンが連続して検出されていることを示すフレームステータス信号を生成するフレームステータス信号生成手段と、キャリア再生が正常に行われていることを示すキャリア再生ステータス信号を生成するキャリア再生ステータス信号生成手段と、ＴＭＣＣ情報中のエラービットが予め定めた数以下であることことを示すＴＭＣＣステータス信号を生成するＴＭＣＣステータス信号生成手段と、フレームステータス信号、キャリア再生ステータス信号、またはＴＭＣＣステータス信号の少なくとも一つが一時的に途絶えたことを検出してサイトダイバーシティ切替検出信号を送出する検出手段とを備えたことを特徴とするサイトダイバーシティ切替検出機能付衛星放送受信機。
【発明の詳細な説明】
【０００１】
【発明の属する技術分野】
本発明は、デジタル衛星放送受信機に用いられてサイトダイバーシティ切替が行われたことを受信側で確認することができるサイトダイバーシティ切替検出方法およびサイトダイバーシティ切替検出機能付衛星放送受信機に関する。
【０００２】
【従来の技術】
デジタル衛星放送において、「ＡＲＩＢ  ＳＴＤ−Ｂ２０」ＢＳデジタル放送の送信・運用条件、「ＡＲＩＢ  ＳＴＤ−Ｂ２１」ＢＳデジタル放送受信装置、「ＡＲＩＢ  ＴＲ−Ｂ１５」ＢＳデジタル運用規定第７編ＢＳデジタル放送  送出運用規定が定められている。これによれば、運用中の一方のアップリンク放送局周辺が降雨等により回線確保が不可能になることが予想される場合、他のアップリンク放送局による運用に切り替わるサイトダイバーシティが採用される。このサイトダイバーシティにおいて、アップリンク放送局の切り替えによる映像、音声に途切れが生ずる等の影響を可能な限り最小にすることが望ましい。
【０００３】
本明細書において、運用中の一方のアップリンク放送局から他方のアップリンク放送局による運用に切り替わることをサイトの切り替えとも記す。
【０００４】
しかしながら、サイトの切り替えを行うと、たとえ両アップリンク放送局で送出信号のタイミングを合わせてもデジタル衛星放送受信機に入力される信号の連続性が保てなくなる。このため、デジタル衛星放送受信機で復号される映像や音声に瞬断が入ってしまうことになる。
【０００５】
この瞬断をなるべく低減するためには、キャリアの瞬断が生ずること予めデジタル衛星放送受信機に伝達すればよい。このために、アップリンク放送局の放送装置において行われる主局（一方のアップリンク放送局）、副局（他方のアップリンク放送局）相互のサイトダイバーシティでは、ＴＭＣＣ情報中に切替指示のためのビットがセットされ、そのセット直後からＮスーパーフレーム目の期間内でサイトの切り替えが行われる。
【０００６】
【発明が解決しようとする課題】
しかしながら、サイトダイバーシティ切替が行われた場合、実際の電波で正常に切り替わったかを、デジタル衛星放送受信機において確認する方法がなかった。このため、受信画像、音声に瞬断が生じても、放送送出側でサイトの切り替えが規定のタイミングで運用されなかったのか否かを区別することができなかった。
【０００７】
本発明は、放送送出側でサイトの切替が規定のタイミングで運用されたか否かをデジタル衛星放送受信機で検出することができるサイトダイバーシティ切替検出方法およびサイトダイバーシティ切替検出機能付衛星放送受信機を提供することを目的とする。
【０００８】
【課題を解決するための手段】
本発明にかかるサイトダイバーシティ切替検出方法は、放送送出側でサイトの切替が規定のタイミングで運用されたか否かをデジタル衛星放送受信機において検出するサイトダイバーシティ切替検出方法であって、送信切替信号の出力開始時からスーパーフレームを計数し、該計数において予め定めたスーパーフレームの計数期間中に、フレーム同期パターンが連続して検出されていることを示すフレームステータス信号、キャリア再生が正常に行われていることを示すキャリア再生ステータス信号、またはＴＭＣＣ情報中のエラービットが予め定めた数以下であることことを示すＴＭＣＣステータス信号の少なくとも一つが一時的に途絶えたことを検出したとき、サイトダイバーシティ切替検出信号を送出することを特徴とする。
【０００９】
本発明にかかるサイトダイバーシティ切替検出機能付衛星放送受信機は、放送送出側でサイトの切替が規定のタイミングで運用されたか否かを検出するデジタル衛星放送受信機であって、送信切替信号の出力開始時からスーパーフレームを計数し、該計数において予め定めたスーパーフレームの計数期間中であることを検出するスーパーフレームの計数期間中検出手段と、フレーム同期パターンが連続して検出されていることを示すフレームステータス信号を生成するフレームステータス信号生成手段と、キャリア再生が正常に行われていることを示すキャリア再生ステータス信号を生成するキャリア再生ステータス信号生成手段と、ＴＭＣＣ情報中のエラービットが予め定めた数以下であることことを示すＴＭＣＣステータス信号を生成するＴＭＣＣステータス信号生成手段と、フレームステータス信号、キャリア再生ステータス信号、またはＴＭＣＣステータス信号の少なくとも一つが一時的に途絶えたことを検出してサイトダイバーシティ切替検出信号を送出する検出手段とを備えたことを特徴とする。
【００１０】
本発明にかかるサイトダイバーシティ切替検出方法およびサイトダイバーシティ切替検出機能付衛星放送受信機によれば、送信切替信号の出力開始時からスーパーフレームが計数され、該計数において予め定めたスーパーフレームの計数期間中に、フレーム同期パターンが連続して検出されていることを示すフレームステータス信号、キャリア再生が正常に行われていることを示すキャリア再生ステータス信号、またはＴＭＣＣ情報中のエラービットが予め定めた数以下であることことを示すＴＭＣＣステータス信号の少なくとも一つが途絶えたことが検出されたとき、サイトダイバーシティ切替検出信号が出力される。したがって、サイトダイバーシティ切替検出信号によって、放送送出側でサイトの切替が規定のタイミングで運用されたか否かがデジタル衛星放送受信機側において検出することができる。これによりサイトの切り替えが正しく行われたことが検出されれば、デジタル衛星放送受信機の後段において、サイトダイバーシティ切替に適した処理を行い、正しくない切り替えが起きたと判断されたときにはその他の障害が発生したものとし、それに適した処理に切り替えることによって、受信画像、音声への影響を極力少なくすることが可能となる。
【００１１】
本発明にかかるサイトダイバーシティ切替検出方法において、フレームステータス信号は、フレーム同期パターンが検出される毎にトリガされるリトリガブルワンショットマルチバイブレータの出力信号であってもよく、キャリア再生ステータス信号は、キャリア再生のための位相誤差電圧が予め定めた所定閾値内であることを示す信号であってもよい。
【００１２】
【発明の実施の形態】
以下、本発明にかかるサイトダイバーシティ切替検出方法を実施の一形態によって説明する。
【００１３】
図１は本発明の実施の一形態にかかるサイトダイバーシティ切替検出方法が適用されるサイトダイバーシティ切替検出回路の構成を示すブロック図であり、図２は図１に示すサイトダイバーシティ切替検出回路を含むデジタル衛星放送受信機の概略構成を示すブロック図である。
【００１４】
図１におけるサイトダイバーシティ切替検出回路の説明の前に、デジタル衛星放送において用いられる階層化伝送方式のフレーム構成について説明する。
【００１５】
公知のように、１スーパーフレームは図７（ａ）に示すように８フレームから構成され、各フレームは図７（ｂ）に例示するようにフレーム同期パターンＷ１、伝送パラメータ、変調方式、制御情報などの伝送多重構成識別のためのＴＭＣＣ（Transmission  and  Multiplexing  Configuration  Control）情報、スーパーフレーム中の先頭フレームか否かを識別するためのフレーム識別用同期パターンＷ２またはＷ３、主信号、基準バースト信号、主信号、基準バースト信号、…、主信号、基準バースト信号から構成されている。スーパーフレーム中の先頭フレームにはフレーム識別用同期パターンＷ２が、２〜８フレームにはフレーム識別用同期パターンＷ３が使用されている。なお、図７（ｂ）では第２番目のフレームを示している。
【００１６】
主信号の変調方式はトレリスコード８ＰＳＫ、ＱＰＳＫまたはＢＰＳＫであり、フレーム同期パターンＷ１、フレーム識別用同期パターンＷ２、Ｗ３、ＴＭＣＣ情報および基準バースト信号の変調方式はＢＰＳＫであり、フレーム同期パターンＷ１、フレーム識別用同期パターンＷ２、Ｗ３は各３２シンボル（固定ビットの２０シンボルを含む）、ＴＭＣＣ情報は１２８シンボル、主信号は２０３シンボル、基準バースト信号は４シンボルである。また、１フレームは３９９３６シンボルで構成されている。
【００１７】
ＴＭＣＣ情報中の拡張領域は図８（ａ）に示す如く変更指示５ビット、送受信制御情報５ビットを含んでいる。変更指示５ビットは、サイトダイバーシティ指示などのＴＭＣＣ情報の内容に変更が生ずる毎に１ずつ加算される。送受信制御情報５ビットでは、図８（ｂ）に示す如くビット４は送受信切替信号を示し、ビット３は主局送信信号であり、ビット２は副局送信信号である。
【００１８】
図８（ｃ−１）は送受信制御情報中のビット４を示し、図８（ｃ−２）は変更指示指示５ビットを示している。サイトの切り替えのときには、変更指示指示５ビットが＋１され、送受信制御情報中のビット４にビットを立て（ビット４＝１）、ビットが立ったときから、すなわち送信切替信号を受けたときから、スーパーフレーム（ＳＦ）をＮ回計数したときのスーパーフレーム中においてサイトの切り替えが行われ、サイトダイバーシティを実施後、Ｍスーパーフレームで送受信制御情報中のビット４のビットを下ろす（ビット４＝０）ようにされる。現在では、図８（ｃ−１）中のＮ＝１６、Ｍ＝０に設定されている。
【００１９】
上記送受信制御情報中のビット３にビットを立てることにより主局からアップリンクすることを指示し、送受信制御情報中のビット２にビットを立てることにより副局からアップリンクすることを指示している。
【００２０】
次に、図２に戻って説明する。デジタル衛星放送受信機における受信信号はフロントエンドチューナ２１に供給されて、受信チャンネル選択に基づく希望の放送にチューニングされ、処理の容易な中間周波数の中間周波信号に変換され、ベースバンド信号Ｉ、Ｑに復調される。フロントエンドチューナ２１から出力される復調ベースバンド信号Ｉ、ＱはＡ／Ｄ変換器２２に供給されてＡ／Ｄ変換され、Ａ／Ｄ変換出力は８ＰＳＫ／ＱＰＳＫ／ＢＰＳＫ復調回路２３に供給されて、ＰＳＫ復調がなされる。
【００２１】
８ＰＳＫ／ＱＰＳＫ／ＢＰＳＫ復調回路２３によってＰＳＫ復調された誤り訂正前のベースバンド信号Ｉ、Ｑはトレリス／ビタビ復号回路２４においてトレリス／ビタビ復号がなされ、トレリス／ビタビ復号がなされたデータはデインターリーブ、デスクランブル回路２５においてデインターリーブ、デスクランブルがなされ、リードソロモン復号回路２６においてリードソロモン復号がなされて、出力される。
【００２２】
デジタル衛星放送受信機において、８ＰＳＫ／ＱＰＳＫ／ＢＰＳＫ復調回路２３においてフレーム同期信号が正常に検出されていることを示すフレームステータス信号およびキャリア再生が正常に行われていることを示すキャリア再生ステータス信号からなる受信ステータス信号と、ＴＭＣＣ情報のリードソロモン復号中におけるシンドローム演算においてエラービットが所定ビット数以下であることを示すＴＭＣＣステータス信号とＴＭＣＣ情報とが入力されて、サイトダイバーシティ切替検出信号と主局／副局ステータス信号とを出力するサイトダイバーシティ切替検出回路１１を備えている。
【００２３】
ここで、ＴＭＣＣ情報のリードソロモン復号中におけるシンドローム演算においてエラービットが所定ビット数以下であることを検出する手段がＴＭＣＣステータス信号生成手段に対応している。
【００２４】
したがって、正常の動作中においては、ＴＭＣＣ情報のリードソロモン復号中におけるシンドローム演算においてエラービットが所定ビット数以下であってＴＭＣＣステータス信号が出力される。サイトの切替等が行われてＴＭＣＣ情報のリードソロモン復号中におけるシンドローム演算においてエラービットが所定ビット数を超えるときはＴＭＣＣステータス信号が途絶えることによって検知される。
【００２５】
次に、受信ステータス信号の生成について、図３に基づいて説明する。
【００２６】
図３に示すように、８ＰＳＫ／ＱＰＳＫ／ＢＰＳＫ復調回路２３では、ベースバンド信号Ｉ、Ｑに数値制御発振器２３−７から出力される直交する再生キャリア（キャリア再生回路２３−０から出力される再生キャリア）が演算回路２３−１において乗算されて、ベースバンド信号Ｉ、Ｑが直交検波される。直交検波されたベースバンド信号はロールオフフィルタ２３−２に供給されて帯域制限される。
【００２７】
ロールオフフィルタ２３−２にて帯域制限されたベースバンド信号はフレーム同期検出回路２３−３とキャリア再生用位相誤差テーブル２３−４とに供給される。また、ＴＭＣＣ情報中から生成された主信号識別信号がキャリア再生用位相誤差テーブル２１へ送出される。
【００２８】
主信号識別信号を受けたキャリア再生用位相誤差テーブル２３−４では、主信号の変調方式に基づく位相誤差テーブルが選択され、帯域制限されたベースバンド信号の位相が検出されて、選択された位相誤差テーブルが参照されて変調方式および位相誤差に基づく位相誤差電圧がキャリア再生用位相誤差テーブル２３−４から出力される。
【００２９】
位相誤差電圧はデジタルフィルタ２３−５を介してＡＦＣ回路２３−６に供給されて、ＡＦＣ回路２３−６において位相誤差電圧が順次累積加算される。ＡＦＣ回路２３−６からの各加算時点の累積加算出力は数値制御発振器２３−７に供給されて、累積加算値に基づく周波数の正負の正弦波データおよび正負の余弦波データが出力される。ここで、累積加算時点の出力により数値制御発振器２３−７の発振周波数が変更されていく意味においてＡＦＣと類似であり、ＡＦＣ回路２３−６と記している。
【００３０】
演算回路２３−１において、数値制御発振器２３−７から出力される正の正弦波データはベースバンド信号Ｉと乗算され、負の余弦波データはベースバンド信号Ｑと乗算され、この乗算結果が加算されて演算回路２３−１からベースバンド信号Ｑとして出力される。また、同様に、正の余弦波データはベースバンド信号Ｉと乗算され、負の正弦波データはベースバンド信号Ｑと乗算され、この乗算結果が加算されて演算回路２３−１からベースバンド信号Ｉとして出力される。このように演算回路２３−１において直交検波される。
【００３１】
一方、フレーム同期検出回路２３−３では供給されたベースバンド信号からフレーム同期パターンＷ１が検出される。フレーム同期パターンＷ１を検出したフレーム同期信号によってリトリガブルワンショットマルチバイブレータ３２−８がトリガされる。リトリガブルワンショットマルチバイブレータ３２−８はトリガによって、フレーム同期パターンＷ１の周期よりも僅かに長い期間の出力を発生する。したがって、連続してフレーム同期パターンが検出されているときは、フレームステータス信号が出力される。
【００３２】
ここで、フレーム同期検出回路２３−３からの出力を受けるリトリガブルワンショットマルチバイブレータ２３−８はフレームステータス信号生成手段に対応している。
【００３３】
フレーム同期パターンの検出が途絶えたときは、リトリガブルワンショットマルチバイブレータ３２−８はリトリガされず、フレームステータス信号が途絶えて、フレーム同期パターンが連続して検出されないことが検知される。したがって、サイトの切替が行われてフレーム同期パターンの連続する検出がなされないときは、フレームステータス信号が途絶えることによって検知される。
【００３４】
一方、キャリア再生用位相誤差テーブル２３−４から出力される位相誤差に基づく位相誤差電圧は、比較回路２３−９にも供給されて、予め定められた正負の閾値と比較され、位相誤差電圧が正負の閾値以内のときは比較回路２３−９からキャリア再生ステータス信号が出力される。位相誤差電圧が正負の閾値を超えているときは比較回路２３−９からキャリア再生ステータス信号が出力されない。したがって、サイトの切り替えが行われて位相比較電圧が閾値を超える値になったときは、キャリア再生ステータス信号が途絶えることによって検知される。
【００３５】
ここで、キャリア再生用位相誤差テーブル２３−４の出力を受ける比較回路２３−９はキャリア再生ステータ信号生成手段に対応している。
【００３６】
次に、サイトダイバーシティ切替検出回路１１について、図１に基づいて説明する。
【００３７】
サイトダイバーシティ切替検出回路１１は、リードソロモン復号回路２６にて復号されたＴＭＣＣ情報を受けて、ＴＭＣＣ情報中からスーパーフレームを検出するスーパーフレーム検出回路１と、変更指示信号の立ち上がりによってリセットされて、ＴＭＣＣ情報中から送信切替信号（送受信制御情報中のビット４）を検出する送信切替信号検出回路４と、送信切替信号検出回路４が送信切替信号を検出している期間中イネーブルにされて、スーパーフレーム検出回路１によって検出されたスーパーフレーム数を計数するスーパーフレームカウンタ２と、スーパーフレームカウンタ２の出力を受けてスーパーフレームカウンタ２が第１６番目のスーパーフレームを計数している期間中低電位出力を発生するサイト切替スーパーフレーム検出回路３とを備えている。
【００３８】
サイトダイバーシティ切替検出回路１１は、さらに、フレームステータス信号、キャリア再生ステータス信号およびＴＭＣＣステータス信号を入力とし、フレームステータス信号、キャリア再生ステータス信号、またはＴＭＣＣステータス信号の一つでも検出できないことを検出するアンドゲート５と、アンドゲート５の出力とサイト切替スーパーフレーム検出回路３の出力とを入力として、第１６番目のスーパーフレームを計数している期間中に、フレームステータス信号、キャリア再生ステータス信号、またはＴＭＣＣステータス信号の少なくとも一つが検出できないときに高電位出力を発生するノアゲート６と、送信切替信号検出回路４により検出された送信切替信号の立ち上がりを微分する立ち上がり微分回路７と、サイト切替スーパーフレーム検出回路３において第１６番目のスーパーフレームの計数開始時において出力されるパルスと立ち上がり微分回路７の出力とを入力とするオアゲート８と、ノアゲート６の出力によってセットされ、かつオアゲート８の出力によってリセットされて、反転Ｑ出力をサイトダイバーシティ切替検出信号として送出するＲ−Ｓフリップフロップ９とを備えている。
【００３９】
ここで、スーパーフレーム検出回路１、スーパーフレームカウンタ２、サイト切替スーパーフレーム検出回路３および送信切替信号検出回路４は、送信切替信号の出力開始時からスーパーフレームを計数し、該計数において予め定めたスーパーフレームの計数期間中であることを検出するスーパーフレームの計数期間中検出手段に対応している。
【００４０】
アンドゲート５、ノアゲート６、立ち上がり部分回路７、オアゲート８およびＲ−Ｓフリップフロップ９は、フレームステータス信号、キャリア再生ステータス信号、またはＴＭＣＣステータス信号の少なくとも一つが一時的に途絶えたことを検出してサイトダイバーシティ切替検出信号を送出する検出手段に対応している。
【００４１】
サイトダイバーシティ切替検出回路１１は、さらに、ＴＭＣＣ情報中の主局送信信号／副局送信信号を検出する主／副局検出回路１０を備えて、アップリンク局を示す主局／副局ステータス信号を送出する。
【００４２】
上記のように構成されたサイトダイバーシティ切替検出回路１１において、サイトの切り換えが指示されたときにおける変更指示信号および送信切替信号は図４（ａ）、図４（ｂ）に示す如くである。なお、図５（ａ）および図５（ｂ）、図６（ａ）および図６（ｂ）は、図４（ａ）および図４（ｂ）を再記したものである。
【００４３】
ＴＭＣＣ情報中からスーパーフレーム検出回路１においてスーパーフレームが検出され、ＴＭＣＣ情報中から送信切替信号検出回路４において送信切替信号が検出されて、送信切替指示がされている期間中、スーパーフレームカウンタ２はイネーブルされて、検出されたスーパーフレームがスーパーフレームカウンタ２によって計数される。この状態は図４（ｃ）示す如くである。図５（ｃ）および図６（ｃ）は、図４（ｃ）を再記したものである。
【００４４】
一方、送信切替信号検出回路４において検出された送信切替信号の立ち上がりが立ち上がり微分回路７にて微分されて、微分出力はオアゲート８を介して図４（ｅ）に示した最初のリセットパルスのタイミングで出力され、Ｒ−Ｓフリップフロップ９はリセットされて、Ｒ−Ｓフリップフロップ９の反転Ｑ出力は高電位となり、図４（ｆ）に示す如く高電位のサイトダイバーシティ切替検出信号が送出される。
【００４５】
また一方、スーパーフレームカウンタ２において第１６番目のスーパーフレームの計数が開始されたときにおけるパルス、すなわち先頭パルスがサイト切替スーパーフレーム検出回路３からオアゲート８を介して、図４（ｅ）に示した２番目のリセットパルスのタイミングで出力され、Ｒ−Ｓフリップフロップ９はリセットされて、Ｒ−Ｓフリップフロップ９の反転Ｑ出力は高電位に維持されて、図４（ｆ）に示す如く、高電位のサイトダイバーシティ切替検出信号が送出される。ここで、図５（ｅ）および図６（ｅ）は図４（ｅ）を再記したものである。
【００４６】
サイト切替スーパーフレーム検出回路３によって第１６番目のスーパーフレームの計数を行っている期間中、サイト切替スーパーフレーム検出回路３からの出力を反転した出力がノアゲート６に出力され、この期間中においてフレームステータス信号、キャリア再生ステータス信号、ＴＭＣＣステータス信号の少なくとも一つが途切れると、アンドゲート５からの出力は低電位となり、ノアゲート６に出力される。したがって、ノアゲート６の出力は図４（ｄ）に示すタイミングでセットパルスが発生し、Ｒ−Ｓフリップフロップ９はセットされて、Ｒ−Ｓフリップフロップ９の反転Ｑ出力は低電位となって、このときから図４（ｆ）に示す如く、低電位のサイトダイバーシティ切替検出信号が送出される。
【００４７】
この結果、送信切替信号が出力されている期間において、スーパーフレームの１６番目の計数期間中にフレームステータス信号、キャリア再生ステータス信号、またはＴＭＣＣステータス信号の少なくとも一つが瞬断された場合は、Ｒ−Ｓフリップフロップ９の反転Ｑ出力が低電位となって、サイト切り替えが正常に行われたことがデジタル衛星放送受信機側で検出することができる。
【００４８】
ここで、サイト切替スーパーフレーム検出回路３によって第１６番目のスーパーフレームの計数を行う期間よりも前において、図５に示す如く、フレームステータス信号、キャリア再生ステータス信号、ＴＭＣＣステータス信号の少なくとも一つが途切れると、サイト切替スーパーフレーム検出回路３によって第１６番目のスーパーフレームの計数を行う期間よりも前にアンドゲート５からの出力は低電位となり、ノアゲート６に出力される。したがって、ノアゲート６の出力は図５（ｄ）に示す如く低電位が継続されて、Ｒ−Ｓフリップフロップ９はセットされず、Ｒ−Ｓフリップフロップ９の反転Ｑ出力は高電位が維持される。この結果、図５（ｆ）に示す如く、高電位のサイトダイバーシティ切替検出信号が送出される。
【００４９】
この結果、送信切替信号が出力されている期間において、スーパーフレームの１６番目の計数期間中より前にフレームステータス信号、キャリア再生ステータス信号、またはＴＭＣＣステータス信号の少なくとも一つが瞬断された場合は、Ｒ−Ｓフリップフロップ９の反転Ｑ出力が高電位に維持されて、サイト切り替えが正常に行われなかったことがデジタル衛星放送受信機側で検出することができる。
【００５０】
また、サイト切替スーパーフレーム検出回路３によって第１６番目のスーパーフレームの計数を終了するまでの期間中において、フレームステータス信号、キャリア再生ステータス信号、ＴＭＣＣステータス信号の全てが途切れることがない場合は、サイト切替スーパーフレーム検出回路３によって第１６番目のスーパーフレームの計数を行っている期間中においてアンドゲート５からの出力は高電位となり、ノアゲート６に出力される。したがって、ノアゲート６の出力は図６（ｄ）に示す如く低電位が継続されて、Ｒ−Ｓフリップフロップ９はセットされず、Ｒ−Ｓフリップフロップ９の反転Ｑ出力は高電位に維持される。この結果、図６（ｆ）に示す如く、高電位のサイトダイバーシティ切替検出信号が送出される。
【００５１】
この結果、送信切替信号が出力されている期間において、スーパーフレームの第１６番目のスーパーフレームの計数期間が終了するまでの期間中にフレームステータス信号、キャリア再生ステータス信号およびＴＭＣＣステータス信号が瞬断されることがない場合は、Ｒ−Ｓフリップフロップ９の反転Ｑ出力が高電位に維持されて、サイト切り替えが正常に行われなかったことがデジタル衛星放送受信機側で検出することができる。
【００５２】
なお、ＴＭＣＣ情報中の主局送信信号が主局／副局検出回路１０にて検出されたときは、主局からの送出である旨の信号が送出され、ＴＭＣＣ情報中の副局送信信号が主局／副局検出回路１０にて検出されたときは、副局からの送出である旨の信号が送出される。
【００５３】
【発明の効果】
以上説明したように本発明にかかるサイトダイバーシティ切替検出方法およびサイトダイバーシティ切替検出機能付衛星放送受信機によれば、サイトダイバーシティ切替が行われた場合、実際の電波で正常に切り替わったか否かがデジタル衛星放送受信機において確認することができて、受信画像、音声に瞬断が生じたときに、放送送出側でサイトの切り替えが規定のタイミングで運用されなかったのか否かを区別することができるという効果が得られる。
【００５４】
またさらに、本発明にかかるサイトダイバーシティ切替検出方法およびサイトダイバーシティ切替検出機能付衛星放送受信機によれば、サイトの切り替えが正しく行われたことが検出されたときには、デジタル衛星放送受信機の後段において、サイトダイバーシティ切替に適した処理を行い、正しくない切り替えが起きたと判断されたときにはその他の障害が発生したものとし、それに適した処理に切り替えることができて、受信画像、音声への影響を極力少なくすることが可能となるという効果が得られる。
【図面の簡単な説明】
【図１】本発明の実施の一形態にかかるサイトダイバーシティ切替検出方法が適用されるサイトダイバーシティ切替検出回路の構成を示すブロック図である。
【図２】図１に示すサイトダイバーシティ切替検出回路を含むデジタル衛星放送受信機の概略構成を示すブロック図である。
【図３】図２に示す８ＰＳＫ／ＱＰＳＫ／ＢＰＳＫ復調回路の構成を示すブロック図である。
【図４】図１に示すサイトダイバーシティ切替検出回路の作用の説明に供するタイミング図である。
【図５】図１に示すサイトダイバーシティ切替検出回路の作用の説明に供するタイミング図である。
【図６】図１に示すサイトダイバーシティ切替検出回路の作用の説明に供するタイミング図である。
【図７】階層化伝送方式のフレーム構成の説明図である。
【図８】ＴＭＣＣ情報中における拡張領域の説明図である。
【符号の説明】
１  スーパーフレーム検出回路
２  スーパーフレームカウンタ
３  サイト切替スーパフレーム検出器
４  送信切替信号検出回路
７  立ち上がり微分回路
９  Ｒ−Ｓフリップフロップ
１１  サイトダイバーシティ切替検出回路
２３  ８ＰＳＫ／ＱＰＳＫ／ＢＰＳＫ復調回路
２６  リードソロモン復号回路
２３−０  キャリア再生回路
２３−３  フレーム同期検出回路
２３−４  キャリア再生用位相誤差テーブル
２３−８  リトリガブルワンショットマルチバイブレータ
２３−９  比較回路
【図１】
0004026677.tif 000002
【図２】
0004026677.tif 000003
【図３】
0004026677.tif 000004
【図４】
0004026677.tif 000005
【図５】
0004026677.tif 000006
【図６】
0004026677.tif 000007
【図７】
0004026677.tif 000008
【図８】
0004026677.tif 000009